(57)【要約】【課題】  払い出されるメダルを検知する検知器を何らかの手段で検知不能にし、計数を停止させてメダルを不正に抜き取ろうとする行為を検出して警報する。【解決手段】  外部から供給されたメダルｍを払い出し時まで貯留するメダルホッパー６と、投入金額に応じた枚数のメダルｍをメダルホッパー６から払い出す払出器７と、同払出器７で払い出されるメダルｍを計数用に検知する爪式の検知器と１１とを備えたメダル貸し機において、払い出されるメダルｍを検知する別のメダルセンサー１２を検知器１１の下流位置であるシュート１０の終端位置に設け、検知器１１とメダルセンサー１２の検知枚数をそれぞれ計数して双方の計数値の差分値が所定値に達した場合に警報する警報手段を設けた。【選択図】  図２
2008132220.tif 000002
【特許請求の範囲】
【請求項１】
外部から供給されたメダルを払い出し時まで貯留するメダルホッパーと、投入金額に応じた枚数のメダルをメダルホッパーから払い出す払出器と、同払出器で払い出されるメダルを計数用に検知する検知器とを備えたメダル貸し機において、払い出されるメダルを検知する別のメダルセンサーを検知器の下流位置に設け、検知器とメダルセンサーの検知枚数をそれぞれ計数して双方の計数値の差分値が所定値に達した場合に警報する警報手段を設けたことを特徴とする、メダル貸し機の不正検出装置。
【請求項２】
警報回数を記憶する記憶部と、警報後に検知器の計数値をメダルセンサーの計数値に同期させて計数を継続する制御と、記憶部の警報回数が所定回数に達した場合は強く警報し所定回数に達しない警報は弱く警報する制御とを警報手段に備えた、請求項１記載のメダル貸し機の不正検出装置。
【請求項３】
警報手段の警報回数が所定回数に達した場合に作動中の払出器を停止する制御を警報手段に備えた、請求項２記載のメダル貸し機の不正検出装置。
【発明の詳細な説明】
【技術分野】
【０００１】
本発明は、メダルの不正な抜き取りを検出して警報するメダル貸し機の不正検出装置に関する。
【背景技術】
【０００２】
従来、メダル遊技機で使用するメダルを貸し出すためのメダル貸し機は、外部から供給されたメダルを払い出し時まで貯留するメダルホッパーと、投入金額に応じた枚数のメダルをメダルホッパーから払い出す払出器と、同払出器で払い出されるメダルを計数用に検知する爪等を備えた検知器とを備えた構造のものが一般的である。ところで、従来のメダル貸し機では、メダルの受け皿から差し込んだ手で検知器の爪を押さえつけて検知不能にし、計数を停止させて投入金額に応じた枚数以上のメダルを不正に抜き取られてしまう問題があった。
【０００３】
これに対し、メダル貸し機からのメダルの不正な抜き取りを検出して警報する不正検出装置が特許文献１で開示されている。この技術は、前記の従来技術においてメダル補給とその次のメダル補給との間における払い出し枚数が設定量より少ないと不正と判断して警報する警報手段を備えたことを特徴としている。しかし、この技術はメダルの実際の払い出し枚数を設定量と比較することで不正か否かを判断するから、メダル枚数を計数する手段自体が無効にされると効果を発揮できず、前記の不正行為などは検出することができなかった。
【特許文献１】特開２００２−１０２４２５号公報
【発明の開示】
【発明が解決しようとする課題】
【０００４】
本発明が解決しようとする課題は、従来のこれらの問題点を解消し、払い出されるメダルを検知する検知器を何らかの手段で検知不能にし、計数を停止させてメダルを不正に抜き取ろうとする行為を検出して警報できるメダル貸し機の不正検出装置を提供することにある。
【課題を解決するための手段】
【０００５】
かかる課題を解決した本発明の構成は、
１）  外部から供給されたメダルを払い出し時まで貯留するメダルホッパーと、投入金額に応じた枚数のメダルをメダルホッパーから払い出す払出器と、同払出器で払い出されるメダルを計数用に検知する検知器とを備えたメダル貸し機において、払い出されるメダルを検知する別のメダルセンサーを検知器の下流位置に設け、検知器とメダルセンサーの検知枚数をそれぞれ計数して双方の計数値の差分値が所定値に達した場合に警報する警報手段を設けたことを特徴とする、メダル貸し機の不正検出装置
２）  警報回数を記憶する記憶部と、警報後に検知器の計数値をメダルセンサーの計数値に同期させて計数を継続する制御と、記憶部の警報回数が所定回数に達した場合は強く警報し所定回数に達しない警報は弱く警報する制御とを警報手段に備えた、前記１）記載のメダル貸し機の不正検出装置
３）  警報手段の警報回数が所定回数に達した場合に作動中の払出器を停止する制御を警報手段に備えた、前記２）記載のメダル貸し機の不正検出装置
にある。
【発明の効果】
【０００６】
本発明によれば、検知器を何らかの手段で検知不能にしてもメダルセンサーが別途検知を継続して計数しているから、検知器とメダルセンサーの双方の検知枚数の計数値に差分が生じ、差分値が所定値に達した場合に不正と判断して警報される。検知器とメダルセンサーは別位置に設けているから、双方を同時に検知不能にすることは困難で不正行為を低減できる。
【発明を実施するための最良の形態】
【０００７】
本発明では、メダルセンサーを払出器から離れた箇所に設ける場合は、メダルセンサーが検知する前に次のメダルが検知器で先に検知されて不正がなくても双方の計数値に差分が生じることがあるから、検知器とメダルセンサーの位置に応じて計数値の差分値が例えば１又は２など所定値に達した場合に警報するようにしてもよい。また、機械的なエラーによる誤検知等を考慮して警報回数も別途計数するとともに警報回数に応じて警報レベルを設定し、例えば警報回数が連続又は短時間に不連続で３回発生した場合などは不正と判断して払出器を即時停止し、１回の警報後に３〜５分など一定時間経過して警報がなかった場合は誤検知と判断し、警報を自動解除して監視を継続させるようにしてもよい。警報してもその警報回数が所定回数に達するまで稼動を継続させる場合は、警報後に次のメダルを計数する前に、検知器の計数値をメダルセンサーの計数値に同期させ、実際に払い出されるメダル枚数が検知漏れのあった検知器の不正確な計数値を引き継いで計数されないようにする。メダルセンサーの位置の関係で前記のように不正がなくても双方の計数値の差分値が常に０以外になる機器では、常に差分が生じるように同期させる。以下、本発明の実施例を図面に基づいて具体的に説明する。
【実施例１】
【０００８】
図１〜６に示す実施例は、スロットマシンのゲーム用のメダルを貸し出すメダル貸し機の不正検出装置の例である。図１は実施例のメダル貸し機の斜視図、図２は実施例の払出器の説明図、図３は実施例の不正検出装置の説明図、図４，５は実施例の不正検出装置のプログラムのフローチャート、図６は実施例のメダル検知を示すチャートである。
【０００９】
図中、１はメダル貸し機、２は筐体、３は貨幣投入口、４はビルバリ、５は補給路、６はメダルホッパー、７は払出器、８はモータ、９は小穴、１０はシュート、１１は検知器、１２はメダルセンサー、１３は受け皿、１４は不正検出装置、１５はＣＰＵ、１６はＲＡＭ、１７はＲＯＭ、１８はインターフェイス、１９は警報部、２０はスピーカー、２１は警報ランプ、２２は信号線、ｍはメダルである。
【００１０】
本実施例のメダル貸し機１は、図１に示すように貨幣投入口３から投入された貨幣を識別して投入金額に応じた枚数のメダルｍを払い出すように制御するビルバリ４と、外部から補給路５で取り込まれた多数枚のメダルｍを払い出し時まで貯留するメダルホッパー６と、メダルホッパー６内のメダルｍをビルバリ４の制御により払い出す払出器７と、払出器７で払い出されたメダルｍを排出するシュート１０と、シュート１０で排出されたメダルｍを収容する受け皿１３とで構成されている。
【００１１】
払出器７は、図２に示すようにメダルホッパー６のメダルｍをモータ８の回転による遠心力で複数の小孔９から射出する構造で、その射出直後のシュート１０の途中位置に爪式の検知器１１を取り付け、シュート１０の終端位置にメダルセンサー１２を取り付けている。検知器１１は射出したメダルｍと接触した際に爪が可動することで検知するものである。メダルセンサー１２はシュート１０の両側壁に設けて通過するメダルｍを非接触で検知するものである。
【００１２】
不正検出装置１４は、図３に示すようにＣＰＵ１５・ＲＡＭ１６・ＲＯＭ１７・インターフェイス１８・警報部１９・スピーカー２０・警報ランプ２１・信号線２２で構成し、検知器１１とメダルセンサー１２は信号線２２を介して接続している。ＲＯＭ１７内のプログラムは、払出器７が作動を開始した後、検知器１１とメダルセンサー１２の検知枚数ｎ１，ｎ２を別個に計数し、メダルセンサー１２の検知後の双方の計数値の差分値が１となった時点で警報ランプ２１を点灯（弱い警報）させるとともに警報回数ｋ（記憶部）を計数し、警報後に検知器１１の計数枚数ｎ１をメダルセンサー１２の計数枚数ｎ２に同期させて計数を継続し、さらに警報回数ｋが３回に達すると払出器７の作動を途中で停止させて警報音をスピーカー２０で発音（強い警報）させるように構成している。不正検出装置１４はビルバリ４の上部に内蔵させ、スピーカー２０と警報ランプ２１を不正検出装置１４の正面に備え、筐体２の正面にスピーカー２０用のスリットと警報ランプ２１用の窓を形成している。
【００１３】
本実施例では、メダル貸し機１の貨幣投入口３に貨幣を投入すると、ビルバリ４が貨幣の真偽を識別して払出器７に制御信号を送信し、払出器７はモータ８を回転させてメダルホッパー６のメダルｍを小穴９から射出する。射出されたメダルｍはシュート１０で排出される途中、検知器１１の爪に接触して検知された後にメダルセンサー１２に検知される。不正検出装置１４では、検知器１１とメダルセンサー１２の信号を受信してその検知枚数ｎ１，ｎ２を別個に計数し、双方の計数値の差分値が１となったか否かを計数と並行して逐次チェックする。差分値が０のままで払出器７が停止すると、投入金額に応じた枚数のメダルｍが正しく払い出されたと判断して監視を継続する。
【００１４】
何者かが巡回する店員や警備員の隙を突いて、メダル貸し機１の受け皿１３から手を差し込み、検知器１１の爪を押さえつけてメダルｍを不正に抜き取ろうとする。動きを止められた検知器１１は検知不能となって計数できなくなるが、メダルセンサー１２は検知を継続して計数される。その時点で双方の計数値の差分値は１となり、不正検出装置１４は警報ランプ２１を点灯させて警報回数ｋを計数するが、この場合は不正行為であるから警報回数ｋが直ちに連続３回に達し、作動中の払出器７を即時に停止させてスピーカー２０で警報音を発音させ、その警報音や点灯で店員や警備員が駆けつけて不正行為が防止される。
【産業上の利用可能性】
【００１５】
本発明のメダル貸し機の不正検出装置は、メダルを用いる全ての遊技設備のメダル貸し機に利用できる。また、従来の不正検出装置と組み合わせて不正行為の検出精度をより高めることができる。
【図面の簡単な説明】
【００１６】
【図１】実施例のメダル貸し機の斜視図である。
【図２】実施例の払出器の説明図である。
【図３】実施例の不正検出装置の説明図である。
【図４】実施例の不正検出装置のプログラムのフローチャートである。
【図５】実施例の不正検出装置のプログラムのフローチャートである。
【図６】実施例のメダル検知を示すチャートである。
【符号の説明】
【００１７】
１  メダル貸し機
２  筐体
３  貨幣投入口
４  ビルバリ
５  補給路
６  メダルホッパー
７  払出器
８  モータ
９  小穴
１０  シュート
１１  検知器
１２  メダルセンサー
１３  受け皿
１４  不正検出装置
１５  ＣＰＵ
１６  ＲＡＭ
１７  ＲＯＭ
１８  インターフェイス
１９  警報部
２０  スピーカー
２１  警報ランプ
２２  信号線
ｍ  メダル
【図１】
2008132220.tif 000003
【図２】
2008132220.tif 000004
【図３】
2008132220.tif 000005
【図４】
2008132220.tif 000006
【図５】
2008132220.tif 000007
【図６】
2008132220.tif 000008